(57)【要約】【課題】シャツの襟はネクタイを外すと左右に倒れて見苦しく、それを防ぐ諸方法は不十分であった。【解決手段】シャツの台襟の長さより若干短く、両端を嵩高く尖端処理した保形具をシャツの台襟の背面に設けた空洞に挿入し貫通しその保形具を屈曲することによって台襟を通じて襟全体の形を整える形成や保形の為の台襟の保形構造を提供する。【選択図】図１
2007031904.tif 000002
【特許請求の範囲】
【請求項１】
台襟背面に保形具を支持する為の開口部を持つ台襟の保形構造
【請求項２】
台襟背面にテープ状布地を固着して保形具を支持する台襟の保形構造
【請求項３】
テープ状布地の両縁を重ね合わせて縫合した筒状空洞体を台襟背面に固着して保形具を支持する台襟の保形構造
【請求項４】
対をなす開口部を持つテープ状布地を台襟背面に固着して保形具を支持する台襟の保形構造
【請求項５】
テープ状布地の長辺両縁を重ね合わせて縫合した筒状空洞体と保形具を組み合わせた襟立てカラー
【請求項６】
対をなす開口部を持つテープ状布地と保形具を組み合わせた襟立てカラー
【発明の詳細な説明】
【技術分野】
【０００１】
本発明は、ネクタイを外した場合の襟の起立や曲げ具合に関する。
【背景技術】
【０００２】
ワイシャツはネクタイを着用した時は締りがあり凛々しく見えるが、ネクタイを外し、一番上のボタンを外して着用者がくつろいだ状態になると、襟布の重みで襟全体が倒れて左右に開き、見た目に締りなく、だらしない印象を与える恐れがある。この発明の台襟と保形具は、ネクタイとボタンを外したくつろぎが得られると同時に、襟が倒れるのを防ぎ、起立や曲げ状態を着用者の意のままに保つことに関するものである。
【０００３】
ワイシャツの襟の倒れるのを防ぐ目的で、硬い布地を用いたり,糊つけアイロンをほどこしたり、ボタンダウン形式などがある。
【０００４】
また、襟の起立や形状保持機能として特許文献１や２などがある。
【特許文献１】特開２００２−３６３８０１号
【特許文献２】特開２００３−１３８４１４号
【発明の開示】
【発明が解決しようとする課題】
【０００５】
しかし、それらはいずれも不充分であって、特に柔らかい布地や,度重なる洗濯で柔らかくなった布地の襟は倒れ易く、日中の長い間には大きく左右に開くのが避けられないし、その場合復元のしようがないとか、又、特許文献１や２は使用が面倒であるとか不具合があるとかいずれも使い勝手が悪く実用に供せられない欠点がある。
【課題を解決するための手段】
【０００６】
本発明の台襟は，台襟の製造に当たり、台襟の背面表層の布地８上で、台襟２の左右の両端からの中心位置を挟んで、台襟２の左右両端の近くに、保形具４が容易に通過できる程度の大きさに切開し穴かがりが施された一対の開口部３a，３bを設け、該両開口部を連携する並列のミシン縫合１１a、１１bによって表層布地８と隣接する次層布地(芯地)１０との間隙で作られる筒状の空洞５を持つ状態で、製造される台襟２である。
【０００７】
形成と保形の役割をする保形具４は、長さが台襟２の長辺長さよりも若干短く、両端が嵩高く尖端処理された屈曲自在な金属や合成樹脂等可撓性のある棒である。
【０００８】
シャツを着用するに当たっては、上記保形具４を台襟背面上の筒状空洞５に差し込み貫通させた上で、羽根襟１を下ろして台襟２に被せ、保形具４の両尖端が羽根襟１の下にほぼ隠れて見えないような位置に保形具を動かして大体の位置決めをする。その上でシャツを着用すると，保形具４は羽根襟１の下にあってその圧力で着用者の首の周りに沿って湾曲する。
【０００９】
この時、保形具４は空洞５の中に在って自由に移動できるので，羽根襟１、台襟２、保形具４の夫々に湾曲円弧の長さの差があっても、襟の突っ張りや引きつりを起こすことはない。
【００１０】
シャツの着用者は羽根襟１の上から両手の掌や指で力を加え、保形具４の位置の調整や、羽根襟１の開き具合や曲がり具合を、着用者の時や場所に応じた好みに従って前後左右に自由に調整し形成する。
【００１１】
また、反対に、シャツの前ボタンの多くを外して襟全体を左右に大きく開くと、シャツの前身ごろは保形具４に支えられて、その開かれた状態に維持され、それによって胸辺りに新鮮な空気を取り入れて涼気を得たり、シャツ内の汗を乾燥させたりが可能である。
【発明の効果】
【００１２】
ネクタイを絞めるビジネス用のワイシャツに於いては、着用者がネクタイや第一ボタンを外してくつろぎの状態にあれば、襟が左右に倒れて締りなく、だらしなく見えて、ひいては相手に不快感を持たせるといった非礼が避けられないが、この発明の台襟２と保形具４によって襟立てと襟の曲げ具合が調整され形成されて、適度な行儀の良さや凛々しさや威厳が保たれる。
【００１３】
また、台襟と羽根襟が具備されているが、本来的にネクタイを絞めないレジャー用やカジュアルシャツに於いても、襟が過度に開きっ放しになって、場合によってだらしなく映り、相手に対して非礼にもなるなどの社会生活上の不利益になるような事態も同じように避けられる。
【００１４】
襟元は、一番人目につく大切な部分であるだけに、色々な種類のネクタイを絞めることで装飾的効果を持たせている部分であるが、そのネクタイを外した場合,襟全体はその素材として柔らかい織り布の自然な成り行きとして左右に倒れたりだれたりするのは避けられなく、それがだらしなさの印象をかもし出すのが現状である
【００１５】
その大切な部分をこの発明の台襟２は保形具４の曲げ具合によって襟全体の起ち具合曲がり具合を着用者の意のままにコントロール出来ることで、美観と威厳をもたらす大切な部分に変革するものである。
【００１６】
暑くて、下着が汗ばむ時などは、多くの前ボタンを外して襟全体を左右に大きく広げると、保形具４がその状態をそのままに保持し、ワイシャツの胸部を引き上げて開き、外の空気の流入を促し、急速な乾燥と涼気をもたらすことが出来る。
【００１７】
保形具４の着用はそれを筒状空洞５に貫通するだけで足りる為、ネクタイを絞めるよりも簡単である。
【００１８】
保形具４は普通の針金程度に柔軟であり、その先端７a，７bは嵩高く尖端処理されているので、皮膚に傷を与えるなど使用上の危険性は考えられない。
【発明を実施するための最良の形態】
【００１９】
以下、本発明の実施の形態を図１〜図６に於いて説明する。
【００２０】
図１に於いては、シャツの羽根襟１が引き上げられた状態で、台襟２に設けられた開口部３から挿入され筒状空洞５を貫通している保計具４を示す。
【００２１】
図２は図１におけるＡ−Ａ線断面図で、台襟背面の表層布地８と隣接する次層布地(芯地)１０の間に作られた空洞５と該空洞内に保持された保形具４の断面を示す。
【００２２】
図３は両端７a,７bが嵩高く尖端処理された金属や合成樹脂等可撓性のある棒保計具4を示す。
【００２３】
以下、上記構成の動作を説明する。ワイシャツを着用するに先立ち、羽根襟１を引き上げ台襟２に在る開口部３に保計具４を挿入し貫通させる。羽根襟１を下ろせば保計具４は羽根襟１と台襟２に挟まれて隠れる。そのシャツを着用すれば保形具４を含め襟全体が着用者の首回りに沿って湾曲する。この時、保計具４は空洞５の中にあって自由に移動できるので、襟の突っ張りや引きつりは起こらない。
【００２４】
また、空洞５の中に在って保持されている保形具４はその細さの故に嵩張らず、また台襟２や羽根襟１からはみ出したり露顕したり外れたりしない。
【００２５】
シャツ着用者は両手の掌と指先で羽根襟１を押さえてその下にある保形具４の曲がり具合を調整して襟全体の形を上下左右奥へ前へと意のままに形成し保形出来る。
【００２６】
反対に、多くのボタンを外し襟全体の両端を左右に引っ張って中に在る保形具４を直線状に伸ばせばシャツの前身ごろは左右に開き、保形具４の支えによって、この場合でも引っ張りや引きつり無く、開いたままの状態が保たれる。
【実施例】
【００２７】
０００６に記述の筒状空洞５を持つ台襟２の他に、出来上がったシャツの台襟２の外側に筒状空洞を付加するものとして以下三様の実施が可能である。
【００２８】
図４が示すように、台襟の背面表層の布地上で台襟の長辺に沿って、また台襟の両端から略同じ距離上に、台襟の長辺長さよりも若干短く短辺よりも若干短く狭い幅員のテープ状布地をかぶせ、該テープ状布地の幅員に若干のたくりでゆとりをもたせた状態で該テープ状布地の長辺両縁を並列的なミシン縫合で台襟と接合することによって形成される筒状空洞を持つ台襟とする。
【００２９】
図５が示すように、上記テープ状布地の長辺両縁を若干のずれをもって重ね合わせ縫合し、出来た筒状空洞体を台襟で台背面に、襟の両端から略同じ距離を置いて、縫い付け接合することによって成る筒状空洞を持つ台襟とする。
【００３０】
図６が示すように、上記テープ状布地の長辺両端の近くで、切開し穴かがりされた一対の
開口部を設け、台襟の背面で台襟の長辺に沿って、台襟の両端から略同じ距離上に、該テープ状布地を台襟に辺々縫い付けて固着の上、更に両開口部を連携する並列のミシン縫合によって台襟と上記テープ状布地との間隙に形成される筒状空洞を持つ台襟とする。
【産業上の利用可能性】
【００３１】
００２８に記述の筒状空洞体と保形具との組み合わせ、及び００２９に記述の予め開口部を設けたテープ状布地と保形具との組み合わせは、夫々それ自体が一つの独立した商品として流通し、家庭において既に使用中のシャツの改造に寄与する。
【００３２】
ワイシャツその他いろいろなシャツの製造に当たり、図１のように台襟の外側表層布地に筒状空洞を設けて置けば、ネクタイ着用用とネクタイなしで保形具着用用との両方兼用が出来る商品となる。その商品は、保形具を含めてもそれに要するコストをはるかに上回る上述の発明の効果が付加価値として買い手には魅力となり、省エネ対策、温暖化対策などの環境下、在来のシャツの販売を凌駕する販売促進が期待できる。
【図面の簡単な説明】
【００３３】
【図１】本発明の実施形態を示す代表図
【図２】図１におけるA-A線断面図
【図３】保形具の斜視図
【図４】００２７記述の説明図
【図５】００２８記述の説明図
【図６】００２９記述の説明図
【符号の説明】
【００３４】
１  羽根襟
２  台襟
３a、３b  開口部
４  保形具
５  空洞
６a,６b  縫い合わせ
７a,７b  保形具の尖端
８  表層布地
９  裏層布地
１０  芯布地
１１a，１１b   縫合糸
【図１】
2007031904.tif 000003
【図２】
2007031904.tif 000004
【図３】
2007031904.tif 000005
【図４】
2007031904.tif 000006
【図５】
2007031904.tif 000007
【図６】
2007031904.tif 000008